(57)【特許請求の範囲】
【請求項１】
外部の共用端末を使用している第１のユーザの組み合わせである第１の利用状況を、第１の視聴者登録手段によって登録された前記第１のユーザの第１の識別情報に基づいて識別するユーザ識別手段と、
前記第１の利用状況に基づいて、前記第１のユーザに共通する関心事項と関係を有する第１のコンテンツの視聴を推奨する第１のレコメンド情報のみを前記共用端末へ配信するレコメンド情報配信手段と、
を備え、
前記ユーザ識別手段は、外部の個人端末を使用している第２のユーザの有無である第２の利用状況を、第２の視聴者登録手段によって登録された前記第２のユーザの第２の識別情報に基づいて識別し、
前記レコメンド情報配信手段は、前記第１の利用状況及び前記第２の利用状況に基づいて、前記第１のユーザに共通する関心事項と関係を有さず、且つ前記第２のユーザの関心事項と関係を有する、第２のコンテンツの視聴を推奨する第２のレコメンド情報を前記個人端末へ配信する
ことを特徴とするレコメンド情報配信装置。
【請求項２】
前記レコメンド情報配信手段は、前記第１の利用状況に基づく前記第１のレコメンド情報の配信、及び、前記第１の利用状況及び前記第２の利用状況に基づく前記第２のレコメンド情報の配信についての、前記第１の利用状況及び前記第２の利用状況毎の設定である配信設定に基づいて、前記第１のレコメンド情報又は前記第２のレコメンド情報を配信する
ことを特徴とする請求項１に記載のレコメンド情報配信装置。
【請求項３】
前記第１のユーザ、及び前記第１のユーザとは別の第３の前記ユーザが同時に前記共用端末を使用しているときの前記配信設定の値は、前記第１のユーザのみが前記共用端末を使用しているときの前記配信設定の値と前記第３のユーザのみが前記共用端末を使用しているときの前記配信設定の値との論理積である
ことを特徴とする請求項２に記載のレコメンド情報配信装置。
【請求項４】
前記レコメンド情報配信手段は、前記配信前に、前記共用端末又は前記個人端末から前記ユーザの利用履歴を取得し、前記利用履歴及び前記第１のレコメンド情報又は前記第２のレコメンド情報に基づいて、前記配信設定の値を決定する
ことを特徴とする請求項２又は３に記載のレコメンド情報配信装置。
【請求項５】
前記レコメンド情報配信手段は、時間帯毎の複数の配信設定を有する
ことを特徴とする請求項２乃至４のいずれか１項に記載のレコメンド情報配信装置。
【請求項６】
前記ユーザ識別手段は、前記第１の識別情報及び前記第１のユーザの最終利用時刻に基づいて前記第１の利用状況を識別する
ことを特徴とする請求項１乃至５のいずれか１項に記載のレコメンド情報配信装置。
【請求項７】
第１の視聴者登録手段によって登録された第１のユーザにより使用される共用端末と、
レコメンド情報を保持するレコメンド情報配信サーバと、
前記第１のユーザの組み合わせである第１の利用状況を、前記第１のユーザの第１の識別情報に基づいて識別するユーザ識別手段と、前記第１の利用状況に基づいて、前記第１のユーザに共通する関心事項と関係を有する第１のコンテンツの視聴を推奨する第１の前記レコメンド情報のみを前記共用端末へ配信するレコメンド情報配信手段と、を有し、
前記ユーザ識別手段は、外部の個人端末を使用している第２のユーザの有無である第２の利用状況を、第２の視聴者登録手段によって登録された前記第２のユーザの第２の識別情報に基づいて識別し、
前記レコメンド情報配信手段は、前記第１の利用状況及び前記第２の利用状況に基づいて、前記第１のユーザに共通する関心事項と関係を有さず、且つ前記第２のユーザの関心事項と関係を有する、第２のコンテンツの視聴を推奨する第２のレコメンド情報を前記個人端末へ配信する
レコメンド情報配信装置と、
を備えることを特徴とするレコメンド情報配信システム。
【請求項８】
外部の共用端末を使用している、第１の視聴者登録手段によって登録された第１のユーザの組み合わせである第１の利用状況を、前記第１のユーザの第１の識別情報に基づいて識別し、
前記第１の利用状況に基づいて、前記第１のユーザに共通する関心事項と関係を有する第１のコンテンツの視聴を推奨する第１のレコメンド情報のみを前記共用端末へ配信し、
外部の個人端末を使用している第２のユーザの有無である第２の利用状況を、第２の視聴者登録手段によって登録された前記第２のユーザの第２の識別情報に基づいて識別し、
前記第１の利用状況及び前記第２の利用状況に基づいて、前記第１のユーザに共通する関心事項と関係を有さず、且つ前記第２のユーザの関心事項と関係を有する、第２のコンテンツの視聴を推奨する第２のレコメンド情報を前記個人端末へ配信する
ことを特徴とするレコメンド情報配信方法。
【請求項９】
レコメンド情報配信装置が備えるコンピュータを、
外部の共用端末を使用している、第１の視聴者登録手段によって登録された第１のユーザの組み合わせである第１の利用状況を、前記第１のユーザの第１の識別情報に基づいて識別し、
外部の個人端末を使用している第２のユーザの有無である第２の利用状況を、第２の視聴者登録手段によって登録された前記第２のユーザの第２の識別情報に基づいて識別する
ユーザ識別手段と、
前記第１の利用状況に基づいて、前記第１のユーザに共通する関心事項と関係を有する第１のコンテンツの視聴を推奨する第１のレコメンド情報のみを前記共用端末へ配信し、
前記第１の利用状況及び前記第２の利用状況に基づいて、前記第１のユーザに共通する関心事項と関係を有さず、且つ前記第２のユーザの関心事項と関係を有する、第２のコンテンツの視聴を推奨する第２のレコメンド情報を前記個人端末へ配信する
レコメンド情報配信手段と、
して機能させるためのレコメンド情報配信プログラム。
【発明の詳細な説明】
【技術分野】
【０００１】
本発明は、レコメンド情報配信装置、レコメンド情報配信システム、レコメンド情報配信方法、及びレコメンド情報配信プログラムに関する。
【背景技術】
【０００２】
近年、「レコメンドサービス」という、ユーザによる情報の利用履歴に基づいて、ユーザが関心を持ちそうな情報を推測し、推測された情報を提示するサービスが提供されている。例えば、動画共有サイトでは、ユーザの動画視聴の履歴に基づいて、ユーザが関心を持ちそうな動画を推測し、推測された動画の視聴をユーザに推奨するような、レコメンドサービスがある。
【０００３】
特定方式の放送信号を受信して一般のテレビ受像機で視聴可能な信号に変換するセットトップボックス（ＳＴＢ：Set Top Box）のようなコンテンツ視聴装置においても、レコメンドサービスは有用である。例えば、コンテンツ提供者が有料コンテンツを提供する際に、提供される多数のコンテンツの中から関心のあるコンテンツをユーザに探させる方法よりも、ＳＴＢによりユーザが関心を持ちそうなコンテンツを選択して提示する方法の方が、ユーザの購買行動を促しやすい。
【０００４】
ＳＴＢは家族内の複数のユーザにより共有されることも多い。そのためＳＴＢにおけるレコメンドサービスにおいては、ＳＴＢを使用しているユーザに応じて、視聴が推奨されるコンテンツ（推奨コンテンツ）に関する情報（レコメンド情報）を変化させることが望ましい。
【０００５】
コンテンツ視聴装置を使用しているユーザに応じて、推奨コンテンツを変える技術の一例が、特許文献１に開示されている。特許文献１のサーバは、あらかじめユーザ毎に、デジタル放送の視聴履歴を含む利用履歴を収集する。そして、特許文献１のサーバは、デジタル放送のデータに、特定ユーザに対する広告情報を、そのユーザのみが参照可能な情報を埋め込んで配信する。従って、特許文献１の配信システムでは、特定のユーザに、そのユーザに応じた広告が配信される。
【０００６】
コンテンツ視聴装置を使用しているユーザに応じて、推奨コンテンツを変える技術の別の一例が、特許文献２に開示されている。特許文献２のＳＴＢは、あらかじめユーザ毎にウェブコンテンツの閲覧履歴を含む利用履歴を、通信サービスサーバを介して収集する。そして、特許文献２のＳＴＢは、携帯端末におけるウェブコンテンツの閲覧履歴を含む利用履歴に基づいてレコメンド情報を作成し、作成したレコメンド情報を携帯端末へ配信する。従って、特許文献２のレコメンドシステムでも、携帯端末を使用している特定のユーザに、そのユーザに応じたレコメンド情報が配信される。
【先行技術文献】
【特許文献】
【０００７】
【特許文献１】特開２０１０−０５０５４９号公報（第４−１４ページ、図１−４、６）
【特許文献２】特開２０１２−１４２７０４号公報（第８−１１ページ、図１−２）
【発明の概要】
【発明が解決しようとする課題】
【０００８】
特許文献１および特許文献２の技術では、特定ユーザが関心を持ちそうなコンテンツが、そのユーザに配信される。ところが、端末が家族等の複数ユーザにより同時に使用される場合には、特許文献１または特許文献２の技術をそのまま適用することはできない。なぜなら、複数ユーザにより同時に使用されている端末（以下、「共用端末」という。）へは、特定ユーザのみの興味を引くコンテンツを配信すべきではなく、配信する場合は共用端末を同時に使用している全ユーザの興味を引くコンテンツである必要があるからである。例えば、ＳＴＢが未成年を含む複数のユーザにより同時に使用される場合、成年ユーザへのレコメンド情報として、未成年に相応しくない商品（酒、たばこなど）が、ＳＴＢに配信されることは適切ではない。あるいは、あるユーザが、他のユーザ向けのレコメンド情報を見たとしても、興味が引かれないばかりか、本来の視聴にとっては妨げになる。
【０００９】
そのため、特許文献１または特許文献２の技術のような、個人単位の推奨コンテンツ管理では、共用端末へ適切に推奨コンテンツを配信することができないという問題がある。
（発明の目的）
本発明の目的は、共用端末へも適切に推奨コンテンツを配信することが可能な、レコメンド情報配信装置、レコメンド情報配信システム、レコメンド情報配信方法、及びレコメンド情報配信プログラムを提供することにある。
【課題を解決するための手段】
【００１０】
本発明のレコメンド情報配信装置は、外部の共用端末を使用している第１のユーザの組み合わせである第１の利用状況を、第１の視聴者登録手段によって登録された第１のユーザの第１の識別情報に基づいて識別するユーザ識別手段と、第１の利用状況に基づいて、第１のユーザに共通する関心事項と関係を有する第１のコンテンツの視聴を推奨する第１のレコメンド情報のみを共用端末へ配信するレコメンド情報配信手段とを備えることを特徴とする。
【００１１】
本発明のレコメンド情報配信システムは、第１の視聴者登録手段によって登録された第１のユーザにより使用される共用端末と、レコメンド情報を保持するレコメンド情報配信サーバと、第１のユーザの組み合わせである第１の利用状況を、第１のユーザの第１の識別情報に基づいて識別するユーザ識別手段と、第１の利用状況に基づいて、第１のユーザに共通する関心事項と関係を有する第１のコンテンツの視聴を推奨する第１のレコメンド情報のみを共用端末へ配信するレコメンド情報配信手段と、を有するレコメンド情報配信装置とを備えることを特徴とする。
【００１２】
本発明のレコメンド情報配信方法は、外部の共用端末を使用している、第１の視聴者登録手段によって登録された第１のユーザの組み合わせである第１の利用状況を、第１のユーザの第１の識別情報に基づいて識別し、第１の利用状況に基づいて、第１のユーザに共通する関心事項と関係を有する第１のコンテンツの視聴を推奨する第１のレコメンド情報のみを共用端末へ配信することを特徴とする。
【００１３】
本発明のレコメンド情報配信プログラムは、レコメンド情報配信装置が備えるコンピュータを、外部の共用端末を使用している、第１の視聴者登録手段によって登録された第１のユーザの組み合わせである第１の利用状況を、第１のユーザの第１の識別情報に基づいて識別するユーザ識別手段と、第１の利用状況に基づいて、第１のユーザに共通する関心事項と関係を有する第１のコンテンツの視聴を推奨する第１のレコメンド情報のみを共用端末へ配信するレコメンド情報配信手段として機能させることを特徴とする。
【発明の効果】
【００１４】
本発明には、共用端末へも適切に推奨コンテンツを配信することができるという効果がある。
【図面の簡単な説明】
【００１５】
【図１】本発明の第１の実施形態におけるレコメンド情報配信装置の構成の一例を示すブロック図である。
【図２】本発明の第１の実施形態におけるレコメンド情報配信装置が具体的な装置である場合のハードウェア構成の一例を示すブロック図である。
【図３】本発明の第１の実施形態におけるレコメンド情報配信装置の動作を示すフローチャートである。
【図４】本発明の第１の実施形態におけるレコメンド情報配信装置の配信設定の具体例を示す図である。
【図５】本発明の第２の実施形態におけるコンテンツ視聴装置の構成の一例を示すブロック図である。
【図６】本発明の第２の実施形態におけるコンテンツ視聴システムの構成の一例を示すブロック図である。
【図７】本発明の第２の実施形態におけるコンテンツ視聴装置の配信先テーブルの具体例を示す図である。
【図８】本発明の第２の実施形態におけるコンテンツ視聴装置のレコメンドタグリストの具体例を示す図である。
【図９】本発明の第２の実施形態におけるコンテンツ視聴装置の、携帯端末から受け取った利用履歴をレコメンド情報に変換する際の動作の具体例を示すシーケンス図である。
【図１０】本発明の第２の実施形態におけるコンテンツ視聴装置の、１人目のユーザの携帯端末へレコメンド情報を配信する際の動作の具体例を示すシーケンス図である。
【図１１】本発明の第２の実施形態におけるコンテンツ視聴装置の、２人目以降のユーザの携帯端末へレコメンド情報を配信する際の動作の具体例を示すシーケンス図である。
【図１２】本発明の第３の実施形態におけるコンテンツ視聴装置の、２人目以降のユーザの携帯端末へレコメンド情報を配信する際の動作の具体例を示すシーケンス図である。
【図１３】本発明の第４の実施形態におけるコンテンツ視聴装置の、携帯端末へ配信されたレコメンド情報をコンテンツ表示装置で表示する際の動作の具体例を示すシーケンス図である。
【発明を実施するための形態】
【００１６】
以下、本発明の実施形態について図面を参照して詳細に説明する。尚、すべての図面において、同等の構成要素には同じ符号を付し、適宜説明を省略する。
（第１の実施形態）
本実施形態のレコメンド情報配信装置の構成について説明する。
【００１７】
図１は、本実施形態のレコメンド情報配信装置１００の構成の一例を示すブロック図である。
【００１８】
本実施形態のレコメンド情報配信装置１００は、テレビジョン放送、マルチメディア、ワールドワイドウェブ等のコンテンツを視聴するために、外部の端末を接続することができる通信装置である。外部の端末２００は、１人以上のユーザにより同時に使用される共用端末である。レコメンド情報配信装置１００は、ユーザ識別手段１３０と、レコメンド情報配信手段１１０と、レコメンド情報保持手段１２０とを含む。
【００１９】
レコメンド情報保持手段１２０は、複数のレコメンド情報を保持する。
【００２０】
ユーザ識別手段１３０は、ユーザ識別用信号９２５に基づいて、レコメンド情報配信装置１００に接続された端末２００を使用しているユーザの組み合わせ（以下、「利用状況」という。）を識別する。ユーザ識別手段１３０は、例えば、特定の時点から所定の時間内に端末２００を利用したユーザを、特定の時点における、端末２００を使用しているユーザと判断する。
【００２１】
なお、端末２００は、視聴者登録手段２１０を含む。視聴者登録手段２１０は、端末２００を使用するユーザの識別情報（ユーザ識別子等）の登録を受け付ける。視聴者登録手段２１０は、例えば、ユーザが端末２００にログインしたときにユーザの識別情報を保持する。また、視聴者登録手段２１０は、ユーザ毎の最終利用時刻を保持してもよい。
【００２２】
視聴者登録手段２１０は、ユーザ毎の識別情報を含むユーザ識別用信号９２５をレコメンド情報配信装置１００へ送信する。上記のように、ユーザ識別用信号９２５は、ユーザ毎の最終利用時刻の情報を含んでもよい。
【００２３】
レコメンド情報配信手段１１０は、端末２００の利用状況毎に、利用状況に対応するレコメンド情報を配信するか否かの設定（以下、「配信設定」という。）を予め保持する。そして、レコメンド情報配信手段１１０は、端末２００の利用状況と、配信設定とに基づいて、レコメンド情報を、レコメンド情報配信用信号９２０を用いて端末２００へ配信する。
【００２４】
なお、配信設定の設定方法は任意である。例えば、レコメンド情報配信装置１００が入力手段を備える場合は、ユーザがその入力手段を用いて配信設定を入力してもよい。あるいは、端末２００が入力手段を備える場合は、ユーザがその入力手段を用いて配信設定を入力し、端末２００が入力された配信設定をレコメンド情報配信装置１００に送信してもよい。
【００２５】
また、レコメンド情報配信装置１００が、共用端末である端末２００ではなく、１人のユーザのみにより使用される個人用端末と接続するための接続機能を備えてもよい。その場合は、レコメンド情報配信手段１１０が、接続された個人端末を識別することによって、個人端末を使用するユーザを判断し、利用状況を取得することができる。なぜなら、個人端末とユーザは予め固定的に対応付けられているため、視聴者登録手段２１０は、個人端末の識別情報をユーザの識別情報とみなして処理を行うことができるからである。あるいは、個人端末であっても、視聴者登録手段２１０を備えてもよい。
【００２６】
当然ながら、レコメンド情報配信装置１００には、共用端末である端末２００と、上記のような個人端末の両方が接続されてもよい。
【００２７】
ところで、本実施形態では、端末２００を使用するユーザを、所定の方法でレコメンド情報配信装置１００に登録できればよい。従って、必ずしも、端末２００自身が視聴者登録手段２１０を含む必要はない。つまり、端末２００とレコメンド情報配信装置１００とを含むシステムに、視聴者登録手段２１０が含まれていればよい。
【００２８】
例えば、端末２００がテレビジョン受像機である場合には、テレビジョン受像機に視聴者登録手段２１０を追加するのではなく、ＳＴＢ又はホームゲートウェイであるレコメンド情報配信装置１００が、視聴者登録手段２１０を含んでもよい。すなわち、例えば、ＳＴＢ又はホームゲートウェイのリモコン等を用いて、ユーザの登録を行ってもよい。
【００２９】
あるいは、端末２００以外のレコメンド情報配信装置１００に接続可能な別の装置が、視聴者登録手段２１０を含んでもよい。例えば、端末２００がテレビジョン受像機である場合には、レコメンド情報配信装置１００がスマートフォンとの接続機能を、スマートフォンが視聴者登録手段２１０の機能を備え、スマートフォンを用いてユーザの登録を行ってもよい。さらに、スマートフォンを用いて、ユーザの登録だけでなく、コンテンツの視聴操作を行うことにより、テレビジョン受像機を用いたコンテンツやレコメンド情報の表示を行ってもよい。
【００３０】
図２は、本実施形態のレコメンド情報配信装置１００が具体的な装置である場合のハードウェア構成の一例を示すブロック図である。
【００３１】
レコメンド情報配信装置１１は、記憶装置１２と、ＣＰＵ（Central Processing Unit）１３と、キーボード１４と、モニタ１５と、Ｉ／Ｏ（Input/Output）１８とを備え、これらが内部バス１６で接続されている。記憶装置１２は、レコメンド情報配信手段１１０等のＣＰＵ１３の動作プログラムを格納する。ＣＰＵ１３は、レコメンド情報配信装置１１全体を制御し、記憶装置１２に格納された動作プログラムを実行し、Ｉ／Ｏ１８を介してレコメンド情報配信手段１１０等のプログラムの実行やデータの送受信を行なう。なお、上記のレコメンド情報配信装置１１の内部構成は一例である。レコメンド情報配信装置１１は、ＣＰＵ１３、記憶装置１２、及びＩ／Ｏ１８のみを備え、外部に備えられた、キーボード１４、及びモニタ１５を用いて動作してもよい。
【００３２】
次に、本実施形態のレコメンド情報配信装置１００の動作について説明する。
【００３３】
図３は、本実施形態のレコメンド情報配信装置１００の動作を示すフローチャートである。
【００３４】
ユーザ識別手段１３０は、端末２００を使用しているユーザの組み合わせを識別する（ステップＳ１１）。
【００３５】
なお、ユーザ識別手段１３０は、例えば、ユーザ識別用信号９２５に含まれる、ユーザ識別情報およびユーザ毎の最終利用時刻情報に基づいて、端末２００を使用しているユーザを識別する。ここで、ユーザ識別手段１３０は、最終利用時刻情報と現時刻との差が所定の時間以内であるユーザは、端末を使用していると判定してもよい。
【００３６】
レコメンド情報配信手段１１０は、端末２００の利用状況と、配信設定とに基づいて、レコメンド情報を、端末２００へ配信する（ステップＳ１２）。
【００３７】
次に、本実施形態のレコメンド情報配信装置１００の処理手順の具体例について説明する。
【００３８】
なお、本具体例における各ステップについては、図３のレコメンド情報配信装置１００の動作を示すフローチャートを利用して説明する。
【００３９】
図４は、本実施形態のレコメンド情報配信装置１００の配信設定の具体例を示す図である。
【００４０】
レコメンド情報保持手段１２０は、予め、“レコメンド情報１”、“レコメンド情報２”、“レコメンド情報３”、“レコメンド情報４”、“レコメンド情報５”を保持する。
【００４１】
レコメンド情報配信手段１１０は、予め、端末２００の利用状況毎の配信設定を保持する。端末２００をユーザ１のみが使用する場合の、レコメンド情報“レコメンド情報１”、“レコメンド情報２”、“レコメンド情報３”、“レコメンド情報４”、“レコメンド情報５”のそれぞれに対する配信設定は、“真”、“真”、“真”、“真”、“偽”である（図４（ａ））。
【００４２】
端末２００をユーザ２のみが使用する場合の、レコメンド情報“レコメンド情報１”、“レコメンド情報２”、“レコメンド情報３”、“レコメンド情報４”、“レコメンド情報５”のそれぞれに対する配信設定は、“偽”、“真”、“偽”、“真”、“真”である（図４（ｂ））。
【００４３】
端末２００をユーザ１およびユーザ２が同時に使用する場合の、レコメンド情報“レコメンド情報１”、“レコメンド情報２”、“レコメンド情報３”、“レコメンド情報４”、“レコメンド情報５”のそれぞれに対する配信設定は、“偽”、“真”、“偽”、“真”、“偽”である（図４（ｃ））。
【００４４】
なお、各レコメンド情報について、端末２００をユーザ１およびユーザ２が同時に使用する場合の配信設定の値（図４（ｃ））は、端末２００をユーザ１のみが使用する場合の配信設定の値（図４（ａ））と、端末２００をユーザ２のみが使用する場合の配信設定の値（図４（ｂ））との論理積である。つまり、端末２００をユーザ１およびユーザ２が同時に使用する場合の配信設定は、ユーザ１向けレコメンド情報とユーザ２向けレコメンド情報とで共通するレコメンド情報が配信されるような設定である。
【００４５】
したがって、レコメンド情報配信手段１１０は、端末２００をユーザ１およびユーザ２が同時に使用する場合の配信設定を個別に予め保持しなくてもよい。つまり、レコメンド情報配信手段１１０は、端末２００をユーザ１のみが使用する場合の配信設定および端末２００をユーザ２のみが使用する場合の配信設定から配信設定を導出してもよい。さらに、レコメンド情報配信手段１１０は、導出した配信設定を保持してもよい。また、端末２００をユーザ１およびユーザ２が同時に使用する場合の配信設定がユーザにより予め設定された場合にのみ、レコメンド情報配信手段１１０は設定された配信設定を使用してもよい。
【００４６】
なお、端末２００をユーザ１およびユーザ２が同時に使用する場合であって、ユーザ１向けレコメンド情報とユーザ２向けレコメンド情報とで共通するレコメンド情報がないときは、レコメンド情報は配信されない。
【００４７】
以降、端末２００を使用しているユーザ全員に共通するレコメンド情報を「共通レコメンド情報」、それ以外のレコメンド情報を「個別レコメンド情報」という。
【００４８】
まず、端末２００をユーザ１のみが使用している場合について説明する。
【００４９】
ユーザ識別手段１３０は、端末２００から、端末２００におけるユーザ１の識別情報および最終利用時刻の情報を含む、ユーザ識別用信号９２５を受信する。ユーザ識別手段１３０は、ユーザ識別用信号９２５に含まれるユーザ１の識別情報および最終利用時刻情報に基づいて、端末２００を利用しているユーザとしてユーザ１を識別する（ステップＳ１１）。なお、本具体例では、ユーザ１について、最終利用時刻情報と現時刻との差が所定の時間以内であるものとする。
【００５０】
レコメンド情報配信手段１１０は、端末２００がユーザ１のみにより使用されているという利用状況と、端末がユーザ１のみにより使用されている場合の配信設定（図４（ａ））とに基づいて、レコメンド情報を端末２００へ配信する（ステップＳ１２）。具体的には、レコメンド情報配信手段１１０は、レコメンド情報“レコメンド情報１”、“レコメンド情報２”、“レコメンド情報３”、“レコメンド情報４”を、端末２００へ配信する。
【００５１】
次に、端末２００をユーザ２のみが使用している場合について説明する。
【００５２】
ユーザ識別手段１３０は、端末２００から、端末２００におけるユーザ２の識別情報および最終利用時刻の情報を含む、ユーザ識別用信号９２５を受信する。ユーザ識別手段１３０は、ユーザ識別用信号９２５に含まれるユーザ１の識別情報および最終利用時刻情報に基づいて、端末２００を利用しているユーザとしてユーザ２を識別する（ステップＳ１１）。
【００５３】
レコメンド情報配信手段１１０は、端末２００がユーザ２のみにより使用されているという利用状況と、端末がユーザ２のみにより使用されている場合の配信設定（図４（ｂ））とに基づいて、レコメンド情報を端末２００へ配信する（ステップＳ１２）。具体的には、レコメンド情報配信手段１１０は、レコメンド情報“レコメンド情報２”、“レコメンド情報４”、“レコメンド情報５”を、端末２００へ配信する。
【００５４】
以上のように、端末２００を視聴するユーザは１人であってもよい。例えば、端末２００をユーザ１のみが視聴している場合は、ユーザ１向けレコメンド情報は端末２００へ配信される。ただし、この場合も、端末２００へ配信されるレコメンド情報は、あくまで、「共通レコメンド情報」である。この場合、端末２００を使用しているユーザの組み合わせを示す「利用状況」は、端末２００がユーザ１のみにより使用されていることを示す。そして、ユーザ１のみにより使用されているとの利用状況に対応する「配信設定」に従って、ユーザ１のみが端末２００を使用する場合の「共通レコメンド情報」が端末２００へ配信される。
【００５５】
続いて、端末２００をユーザ１およびユーザ２が同時に使用している場合について説明する。
【００５６】
ユーザ識別手段１３０は、端末２００から、端末２００におけるユーザ１およびユーザ２それぞれの、識別情報および最終利用時刻の情報を含む、ユーザ識別用信号９２５を受信する。ユーザ識別手段１３０は、ユーザ識別用信号９２５に含まれる、ユーザ１およびユーザ２の識別情報ならびに最終利用時刻情報に基づいて、端末２００を利用しているユーザとしてユーザ１およびユーザ２を識別する（ステップＳ１１）。
【００５７】
レコメンド情報配信手段１１０は、端末２００がユーザ１およびユーザ２により同時に使用されているという利用状況と、端末がユーザ１およびユーザ２により同時に使用されている場合の配信設定（図４（ｃ））とに基づいて、レコメンド情報を端末２００へ配信する（ステップＳ１２）。具体的には、レコメンド情報配信手段１１０は、レコメンド情報“レコメンド情報２”、“レコメンド情報４”を、端末２００へ配信する。
【００５８】
このように、ユーザ１およびユーザ２が同時に端末２００を使用している場合は、ユーザ１およびユーザ２に共通のレコメンド情報が端末２００へ配信される。ユーザ１またはユーザ２のいずれか一方のみのレコメンド情報（個別レコメンド情報）が、端末２００へ配信されることはない。
【００５９】
以上説明したように、本実施形態のレコメンド情報配信装置１００では、ユーザ１またはユーザ２のみが端末２００を使用している場合には、それぞれ、ユーザ１、ユーザ２による端末単独使用時の配信設定に基づいてレコメンド情報が配信される。一方、ユーザ１およびユーザ２が同時に端末２００を使用している場合には、ユーザ１、ユーザ２による端末同時使用時の配信設定に基づいてレコメンド情報が配信される。この際、ユーザ１、ユーザ２による端末同時使用時の配信設定は、ユーザ１向けレコメンド情報とユーザ２向けレコメンド情報とで共通するレコメンド情報が配信されるように設定される。
【００６０】
従って、レコメンド情報配信装置１００には、共用端末へも適切に推奨コンテンツを配信することができるという効果がある。
【００６１】
尚、本実施形態では、端末２００を使用するユーザは、ユーザ１、ユーザ２の２人であるものとした。端末２００を使用するユーザは、３人以上であってもよい。あるいは、上記のように、端末２００を使用するユーザは、１人であってもよい。ただし、端末２００を使用するユーザが１人である場合も、端末２００へ配信される１人のユーザ向けレコメンド情報は、あくまで、そのユーザ向けの「共通レコメンド情報」であるものとみなす。
【００６２】
尚、本実施形態では、レコメンド情報配信装置１００が端末２００から独立した装置である場合について説明した。しかしながら、本実施形態のレコメンド情報配信装置１００は、必ずしも端末２００から分離された単独の装置に限定されない。レコメンド情報配信装置１００は、端末２００と統合された複合的な装置であってもよい。
（第２の実施形態）
本発明のレコメンド情報配信装置の例として、複数のユーザにより共有される１台の端末の機能が組み込まれたレコメンド情報配信装置であるコンテンツ視聴装置の例を第２の実施形態として示す。
【００６３】
なお、本実施形態では、ユーザは、コンテンツ視聴装置を利用してコンテンツを視聴するか、あるいはコンテンツ視聴装置に接続された携帯端末を利用してコンテンツを視聴する。そして、コンテンツ視聴装置は複数のユーザにより共有されるので、コンテンツを視聴するユーザは特定されない。一方、コンテンツ視聴装置とは別の端末である携帯端末は、特定の１人のユーザにより使用されるので、特定の１人のユーザは特定の１台の携帯端末と同一視される。
【００６４】
本実施形態のコンテンツ視聴装置の構成について説明する。
【００６５】
図５は、本実施形態のコンテンツ視聴装置１０５の構成の一例を示すブロック図である。
【００６６】
本実施形態のコンテンツ視聴装置１０５は、テレビジョン放送、マルチメディア、ワールドワイドウェブ等のコンテンツを視聴することができ、更にコンテンツを視聴するために外部の端末を接続することができる通信装置である。コンテンツ視聴装置１０５は、利用履歴取得手段１５０と、利用履歴保持手段１７０と、レコメンド情報作成手段１６０と、レコメンド情報保持手段１２５と、ユーザ制御手段１３５と、レコメンド情報配信手段１１５と、レコメンド情報要求手段１４０と、無線通信手段１８０とを有する。
【００６７】
コンテンツ視聴装置１０５は、無線通信手段１８０を介して、外部の携帯端末と接続可能である。
【００６８】
コンテンツ視聴装置１０５に外部の携帯端末が接続されている場合、利用履歴取得手段１５０は、無線通信手段１８０を介して、外部の携帯端末の、端末固有情報及び利用履歴を取得し、利用履歴保持手段１７０へ渡す。「端末固有情報」とは、外部の携帯端末を識別するための情報である。
【００６９】
なお、端末固有情報又は利用履歴の、受信した形式と利用履歴保持手段１７０が保持する形式とが異なる場合には、利用履歴取得手段１５０は、利用履歴保持手段１７０が保持する形式に端末固有情報又は利用履歴を変換してもよい。
【００７０】
利用履歴保持手段１７０は、外部の携帯端末の端末固有情報を受け取り、端末固有情報が、あらかじめコンテンツ視聴装置１０５に登録された携帯端末の端末固有情報であるか否かを判定する。
【００７１】
利用履歴保持手段１７０は、受け取った端末固有情報がコンテンツ視聴装置１０５に登録されている場合には、受け取った、端末固有情報及び利用履歴を１つのレコード（以下、「利用履歴レコード」という。）として保持する。
【００７２】
なお、本実施形態の利用履歴の具体的な内容は、特に限定されない。利用履歴は、ユーザが関心を持ちそうなコンテンツを推測可能な任意の情報である。利用履歴は、例えば、ユーザが視聴した番組のジャンルを示すキーワードである。
【００７３】
また、本実施形態の端末固有情報の具体的な内容は、特に限定されない。利用履歴は、１人のユーザに対応付けられる任意の情報である。端末固有情報は、例えば、外部の携帯端末のＭＡＣ（Media Access Control）アドレスである。
【００７４】
また、利用履歴保持手段１７０は、コンテンツ視聴装置１０５の利用履歴も外部の携帯端末における利用履歴レコードと同じ形式で保持してもよい。端末固有情報は、例えば、コンテンツ視聴装置１０５のＭＡＣアドレスである。ただし、利用履歴保持手段１７０がコンテンツ視聴装置１０５の利用履歴を保持する場合には、ユーザ認証等により、利用履歴レコードは、１人のユーザには対応付けられる必要がある。
【００７５】
レコメンド情報作成手段１６０は、所定の周期毎に利用履歴保持手段１７０から利用履歴レコードを取得し、取得した利用履歴レコードに対する関連性が高いコンテンツに関するレコメンド情報を外部のサーバから取得する。
【００７６】
なお、本実施形態の利用履歴レコードとコンテンツとの間の関連性を評価するための方法の具体的な内容は、特に限定されない。評価方法は、関連性を評価することができる任意の方法である。「関連性」の内容についても特に限定されない。関連性とは、利用履歴レコードとコンテンツを所定の条件で分類したときに属する分類の、同一性、類似性、共通性などである。従って、関連性とは、例えば、利用履歴に含まれるキーワードが、コンテンツのジャンルを示すキーワードと一致するか否かにより評価される。
【００７７】
レコメンド情報作成手段１６０は、取得したレコメンド情報に対して、利用状況ごとの配信先を示すテーブル（以下、「配信先テーブル」という。）を作成する。なお、利用状況とは、ユーザによるコンテンツ視聴装置１０５の利用状況である。利用状況は、例えば、コンテンツ視聴装置１０５に接続された携帯端末の有無である。コンテンツ視聴装置１０５は、コンテンツ視聴装置１０５にログインした携帯端末の有無により、接続された携帯端末の有無を利用状況として判断してもよい。
【００７８】
レコメンド情報作成手段１６０は、取得したレコメンド情報に対して、レコメンド情報の種類を表すタグ（以下、「レコメンドタグ」という。）を付与する。レコメンドタグの情報は、取得したレコメンド情報にあらかじめ含まれていてもよい。レコメンド情報作成手段１６０は、端末固有情報を指定して、レコメンドタグを付与したレコメンド情報をレコメンド情報保持手段１２５へ渡す。レコメンドタグは、例えば、“スポーツ”、“食べ物”、“天気”など、推奨されるコンテンツのジャンルを示すキーワードである。レコメンドタグは、１つのレコメンド情報に複数付与されてもよい。配信先テーブルは、配信先を決定する条件として、レコメンドタグに関する条件等を更に含んでもよい。
【００７９】
図７は、コンテンツ視聴装置１０５の配信先テーブルの具体例を示す図である。
【００８０】
配信先テーブルの各列は、左から順に、コンテンツ視聴装置１０５にログインしている携帯端末の有無、レコメンド情報に「共通タグ」が付与されているか否か、レコメンド情報の配信先である。「共通タグ」とは、すべてのユーザのレコメンドタグリスト（後述）に含まれるレコメンドタグである。
【００８１】
配信先テーブルの１行目は、外部の携帯端末がログインしておらず、かつレコメンド情報に共通タグが付与されていない場合には、コンテンツ視聴装置１０５は、レコメンド情報を転送しないことを示す。すなわち、この場合は、コンテンツ視聴装置１０５はレコメンド情報を破棄する。
【００８２】
配信先テーブルの２行目は、外部の携帯端末がログインしておらず、かつレコメンド情報に共通タグが付与されている場合には、コンテンツ視聴装置１０５は、コンテンツ視聴装置１０５自身にレコメンド情報を転送することを示す。すなわち、この場合は、コンテンツ視聴装置１０５がレコメンド情報を表示する。
【００８３】
配信先テーブルの３行目は、外部の携帯端末がログインしており、かつレコメンド情報に共通タグが付与されていない場合には、コンテンツ視聴装置１０５は、外部の携帯端末にレコメンド情報を転送することを示す。すなわち、この場合は、外部の携帯端末がレコメンド情報を表示する。
【００８４】
配信先テーブルの４行目は、外部の携帯端末がログインしており、かつレコメンド情報に共通タグが付与されている場合には、コンテンツ視聴装置１０５は、コンテンツ視聴装置１０５自身にレコメンド情報を転送することを示す。すなわち、この場合もコンテンツ視聴装置１０５がレコメンド情報を表示する。つまり、レコメンド情報に共通タグが付与されている場合には、外部の携帯端末のログインの有無によらず、コンテンツ視聴装置１０５がレコメンド情報を表示する。なお、レコメンド情報を配信する時刻によって配信先を変更するために、配信先テーブルは、時間帯に対応して複数作成されてもよい。
【００８５】
図５のコンテンツ視聴装置１０５の構成の説明に戻る。
【００８６】
レコメンド情報保持手段１２５は、レコメンド情報作成手段１６０から受け取ったレコメンド情報、端末固有情報、配信先テーブル、及びレコメンドタグを１つのレコード（以下、「レコメンド情報レコード」という。）として保持する。また、レコメンド情報保持手段１２５は、端末固有情報毎に、所定の件数のレコメンド情報レコードから、登録件数の多いものから順に所定の個数のレコメンドタグを抽出した、「レコメンドタグリスト」を保持する。
【００８７】
図８は、コンテンツ視聴装置１０５のレコメンドタグリストの具体例を示す図である。
【００８８】
レコメンドタグリストは、携帯端末３００の利用履歴に基づき、コンテンツ視聴装置１０５がユーザが関心を持ちそうなレコメンド情報であると判断したレコメンド情報に付与されたレコメンドタグのリストである。レコメンドタグリストの１行目は、携帯端末３００の端末固有情報がＭＡＣアドレス“a:b:c:d:e:f”（a, b, c, d, e, fは、“０”から”２５５”までの整数）であることを示す。レコメンドタグリストの２行目以降は、レコメンド情報に付与されたレコメンドタグが、登録件数の多いものから順に、“サッカー”、“野球”、…、“天気”、“富士山”であることを示す。
【００８９】
図５のコンテンツ視聴装置１０５の構成の説明に戻る。
【００９０】
ユーザ制御手段１３５は、無線通信手段１８０を介して、外部の携帯端末からの端末固有情報を含むレコメンド情報取得要求を受け取る。ユーザ制御手段１３５は、他にコンテンツ視聴装置１０５にログインしている携帯端末が存在するか否かを確認する。ユーザ制御手段１３５は、外部の携帯端末から受け取った端末固有情報を含むレコメンド情報配信要求をレコメンド情報配信手段１１５に渡す。この際、もし他のコンテンツ視聴装置１０５にログインしている端末（以下、「ログイン済み端末」という。）があれば、その端末の端末固有情報も含むレコメンド情報配信要求をレコメンド情報配信手段１１５に渡す。
【００９１】
レコメンド情報配信手段１１５は、受け取った端末固有情報と同じ端末固有情報を有するレコメンド情報レコードをレコメンド情報保持手段１２５から取得する。次に、レコメンド情報配信手段１１５は、取得したレコメンド情報レコード毎に配信先を決める。
【００９２】
ログイン済み端末が存在する場合には、レコメンド情報配信手段１１５は、レコメンド情報保持手段１２５からログイン済み端末のレコメンドタグリストを取得し、レコメンド情報レコード内のレコメンドタグと共通するタグが存在するか否かを判定する。次に、レコメンド情報配信手段１１５は、配信先テーブルにしたがって、レコメンド情報の配信先を決定する。
【００９３】
本実施形態の配信先テーブルでは、図７に示すように、ログイン済み端末の有無と共通タグの有無との組み合わせ毎に、配信先が決定される。ログイン済み端末の有無は、コンテンツ視聴装置１０５を利用しているユーザが、コンテンツ視聴装置１０５を視聴しているユーザ１人のみであるか、それ以外にもいるかを示す。共通タグの有無は、すべてのユーザの各レコメンドタグリスト内に、配信対象のレコメンド情報レコード内のレコメンドタグが存在するか否かを示す。
【００９４】
レコメンド情報配信手段１１５は、コンテンツ視聴装置１０５の利用状況及び共通タグの有無と、配信先テーブルとを照合することによりレコメンド情報の配信先を決定する。その際、配信先テーブルが配信時間帯に応じて複数作成されている場合には、レコメンド情報配信手段１１５は、配信を行う際の時刻に対応した配信先テーブルを参照して、配信先を決定する。
【００９５】
レコメンド情報の配信先がコンテンツ視聴装置１０５である場合には、レコメンド情報配信手段１１５は、レコメンド情報をコンテンツ表示装置２０５に渡す。レコメンド情報の配信先が外部の携帯端末である場合には、レコメンド情報配信手段１１５は、レコメンド情報をレコメンド情報要求手段１４０に渡す。
【００９６】
レコメンド情報要求手段１４０は、レコメンド情報配信手段１１５からレコメンド情報を受け取る。なお、レコメンド情報の、受け取った形式と無線通信手段１８０から送信可能な形式とが異なる場合には、レコメンド情報要求手段１４０は、受け取ったレコメンド情報を無線通信手段１８０から送信可能な形式に変換してもよい。
【００９７】
無線通信手段１８０は、ＮＦＣ（Near Filed Communication）やBluetooth（登録商標）等、所定の無線通信方式を用いて通信を行う。無線通信手段１８０は、外部の携帯端末から利用履歴、レコメンド情報配信要求などを受信し、利用履歴取得手段１５０またはユーザ制御手段１３５に渡す。また、無線通信手段１８０は、レコメンド情報を受け取り、外部の携帯端末に送信する。
【００９８】
本実施形態のコンテンツ視聴装置１０５を含む、コンテンツ視聴システムの構成について説明する。
【００９９】
図６は、本実施形態のコンテンツ視聴装置システムの構成の一例を示すブロック図である。
【０１００】
本実施形態のコンテンツ視聴システムは、コンテンツ視聴装置１０５、レコメンド情報配信サーバ４００、コンテンツ表示装置２０５、携帯端末３００を含む。
【０１０１】
レコメンド情報配信サーバ４００は、種々のレコメンド情報を格納しており、コンテンツ視聴装置１０５からのレコメンド情報配信要求に応じて、レコメンド情報をコンテンツ視聴装置１０５に渡す。
【０１０２】
コンテンツ表示装置２０５は、コンテンツ視聴装置１０５からの命令に従い、受け取ったレコメンド情報を表示する。ただし、コンテンツ表示装置２０５は、利用履歴の保持を行わない。コンテンツ表示装置２０５の利用履歴は、利用履歴保持手段１７０により保持される。また、コンテンツ表示装置２０５は、レコメンド情報の収集も行わない。レコメンド情報は、レコメンド情報要求手段１４０により収集される。以上のように、コンテンツ表示装置２０５は、コンテンツ視聴装置１０５から受け取ったレコメンド情報を受動的に表示する。
【０１０３】
携帯端末３００は、特定のユーザのみにより利用される個人端末である。携帯端末３００は、利用履歴保持手段３７０と、レコメンド情報要求手段３４０と、コンテンツ表示手段３９０と、無線通信手段３８０とを有する。
【０１０４】
利用履歴保持手段３７０は、保持している利用履歴を無線通信手段３８０に渡す。利用履歴は、携帯端末３００におけるウェブコンテンツの閲覧に関する履歴を含む。
【０１０５】
レコメンド情報要求手段３４０は、無線通信手段３８０を介してコンテンツ視聴装置１０５からレコメンド情報を受信する。なお、レコメンド情報の、受信した形式とコンテンツ表示手段３９０が表示可能な形式とが異なる場合には、レコメンド情報要求手段３４０は、受信したレコメンド情報をコンテンツ表示手段３９０が表示可能な形に変換してもよい。
【０１０６】
コンテンツ表示手段３９０は、レコメンド情報を受け取り、受け取ったレコメンド情報を表示する。
【０１０７】
無線通信手段３８０は、コンテンツ視聴装置１０５の無線通信手段１８０が用いているものと同一の無線方式を用いて通信を行う。無線通信手段３８０は、利用履歴保持手段３７０から利用履歴、携帯端末３００の端末固有情報などを受け取り、コンテンツ視聴装置１０５に送信する。端末固有情報は、例えば、携帯端末３００のＭＡＣアドレスである。また、無線通信手段３８０は、コンテンツ視聴装置１０５からレコメンド情報を受信し、レコメンド情報要求手段３４０に渡す。
【０１０８】
次に、本実施形態のコンテンツ視聴装置１０５の動作について説明する。
【０１０９】
図９は、本実施形態のコンテンツ視聴装置１０５の、携帯端末３００から受け取った利用履歴をレコメンド情報に変換する際の動作の具体例を示すシーケンス図である。
【０１１０】
利用履歴取得手段１５０は、初期状態では、携帯端末３００からの、利用履歴と端末固有情報の受信の待ち受け状態となる（ステップＳ４１１）。
【０１１１】
利用履歴保持手段３７０は、利用履歴と携帯端末３００の端末固有情報を、無線通信手段３８０を経由してコンテンツ視聴装置１０５に送信する（ステップＳ４１２）。
【０１１２】
利用履歴保持手段１７０は、受け取った端末固有情報があらかじめ登録されているか否かを判定し、登録されている場合には、利用履歴と端末固有情報を利用履歴レコードとして保持する（ステップＳ４１３）。
【０１１３】
上記ステップＳ４１２−Ｓ４１３の動作は、利用履歴保持手段１７０により保持される利用履歴レコードを更新するために、必要に応じて繰り返し実行されてもよい。
【０１１４】
一方、下記ステップＳ４２１−Ｓ４３４の動作も、レコメンド情報保持手段１２５により保持されるレコメンド情報等を更新するために、必要に応じて繰り返し実行される。レコメンド情報作成手段１６０は、例えば所定の周期に従って、レコメンド情報の作成を開始する（ステップＳ４２１）。
【０１１５】
レコメンド情報作成手段１６０は、利用履歴保持手段１７０へ利用履歴レコードの送信を要求し、当該レコードを取得する（ステップＳ４２２）。
【０１１６】
レコメンド情報作成手段１６０は、取得した利用履歴レコードと端末固有情報とを含むレコメンド情報取得要求をレコメンド情報配信サーバ４００に渡す（ステップＳ４２３）。
【０１１７】
レコメンド情報配信サーバ４００は、利用履歴に基づいて配信すべきレコメンド情報を選択し、レコメンド情報作成手段１６０に渡す（ステップＳ４２４）。
【０１１８】
レコメンド情報作成手段１６０は、受け取ったレコメンド情報に基づいて利用状況ごとの配信先テーブルを作成する（ステップＳ４３１）。
【０１１９】
レコメンド情報作成手段１６０は、レコメンド情報の種類に応じてレコメンド情報にレコメンドタグを付与する（ステップＳ４３２）。
【０１２０】
レコメンド情報作成手段１６０は、レコメンド情報、端末固有情報、配信先テーブル、レコメンドタグを含むレコメンド情報登録要求をレコメンド情報保持手段１２５に渡す（ステップＳ４３３）。
【０１２１】
レコメンド情報保持手段１２５は、受け取ったレコメンド情報、端末固有情報、配信先テーブル、レコメンドタグを１つのレコメンド情報レコードとして登録する（ステップＳ４３４）。
【０１２２】
図１０は、本実施形態のコンテンツ視聴装置１０５の、１人目のユーザの携帯端末３００へレコメンド情報を配信する際の動作の具体例を示すシーケンス図である。
【０１２３】
携帯端末３００のレコメンド情報要求手段３４０は、無線通信手段３８０を経由してコンテンツ視聴装置１０５に携帯端末３００の端末固有情報を含むレコメンド情報取得要求を送信する（ステップＳ５１１）。
【０１２４】
ユーザ制御手段１３５は、携帯端末３００からのレコメンド情報取得要求を、無線通信手段１８０を経由して受け取り、ログイン済み端末の有無を判定する（ステップＳ５１２）。図１０の例では、携帯端末３００は１人目のユーザの端末であるので、ログイン済み端末の有無は「無」である。
【０１２５】
ユーザ制御手段１３５は、携帯端末３００から受け取った端末固有情報を含むレコメンド情報配信要求をレコメンド情報配信手段１１５に渡す（ステップＳ５１３）。
【０１２６】
レコメンド情報配信手段１１５は、受け取った端末固有情報と端末固有情報が一致するレコメンド情報レコードの取得をレコメンド情報保持手段１２５へ要求し、当該レコードを取得する（ステップＳ５２３）。
【０１２７】
レコメンド情報配信手段１１５は、取得したレコメンド情報レコード毎にレコメンド配信先テーブルに従ってレコメンド情報の配信先を決定する（ステップＳ５２４）。
【０１２８】
ログイン済み端末の有無が「無」である場合、配信先テーブル（図７）を参照すると、共通タグを含むレコメンド情報はコンテンツ視聴装置１０５に配信され、共通タグを含まないレコメンド情報は配信されない。
【０１２９】
レコメンド情報の配信先がコンテンツ視聴装置１０５である場合には、レコメンド情報配信手段１１５は、レコメンド情報をコンテンツ表示装置２０５に渡す（ステップＳ５３２）。
【０１３０】
コンテンツ表示装置２０５は、受け取ったレコメンド情報を表示する（ステップＳ５３３）。
【０１３１】
また、レコメンド情報の配信先がコンテンツ視聴装置１０５である場合には、レコメンド情報配信手段１１５は、レコメンド情報要求手段１４０、無線通信手段１８０を経由して、携帯端末３００にレコメンド情報配信の結果を送信する（ステップＳ５３４）。
【０１３２】
図１１は、本実施形態のコンテンツ視聴装置１０５の、２人目以降のユーザの携帯端末３００へレコメンド情報を配信する際の動作の具体例を示すシーケンス図である。
【０１３３】
携帯端末３００のレコメンド情報要求手段３４０は、無線通信手段３８０を経由してコンテンツ視聴装置１０５に携帯端末３００の端末固有情報を含むレコメンド情報取得要求を送信する（ステップＳ６１１）。
【０１３４】
ユーザ制御手段１３５は、携帯端末３００からのレコメンド情報取得要求を、無線通信手段１８０を経由して受け取り、ログイン済み端末の有無を判定する（ステップＳ６１２）。図１１の例では、携帯端末３００は２人目以降のユーザの端末であるので、ログイン済み端末の有無は「有」である。
【０１３５】
ユーザ制御手段１３５は、携帯端末３００から受け取った端末固有情報、及びログイン済み端末の端末固有情報を含むレコメンド情報配信要求をレコメンド情報配信手段１１５に渡す（ステップＳ６１３）。
【０１３６】
レコメンド情報配信手段１１５は、レコメンド情報保持手段１２５へ要求し、ログイン済み端末の端末固有情報毎のレコメンドタグリストを取得する（ステップＳ６２１）。
【０１３７】
レコメンド情報配信手段１１５は、それぞれのレコメンドタグリストから共通するレコメンドタグを抽出した「共通レコメンドタグリスト」を作成する（ステップＳ６２２）。
【０１３８】
レコメンド情報配信手段１１５は、受け取った端末固有情報と端末固有情報が一致するレコメンド情報レコードの取得をレコメンド情報保持手段１２５へ要求し、当該レコードを取得する（ステップＳ６２３）。
【０１３９】
レコメンド情報配信手段１１５は、レコメンド情報レコード内のレコメンドタグと共通レコメンドタグリストとの比較結果と、配信先テーブルに従ってレコメンド情報の配信先を決定する（ステップＳ６２４）。
【０１４０】
ログイン済み端末の有無が「有」である場合、配信先テーブル（図７）を参照すると、共通タグを含むレコメンド情報はコンテンツ視聴装置１０５に配信され、共通タグを含まないレコメンド情報は携帯端末に配信される。
【０１４１】
レコメンド情報の配信先がコンテンツ視聴装置１０５である場合には、レコメンド情報配信手段１１５は、レコメンド情報をコンテンツ表示装置２０５に渡す（ステップＳ６３２）。
【０１４２】
コンテンツ表示装置２０５は、受け取ったレコメンド情報を表示する（ステップＳ６３３）。
【０１４３】
また、レコメンド情報の配信先がコンテンツ視聴装置１０５である場合には、レコメンド情報配信手段１１５は、レコメンド情報要求手段１４０、無線通信手段１８０を経由して、携帯端末３００にレコメンド情報配信の結果を送信する（ステップＳ６３４）。
【０１４４】
一方、レコメンド情報の配信先が携帯端末３００である場合には、レコメンド情報配信手段１１５は、レコメンド情報と端末固有情報をレコメンド情報要求手段３９０に渡す（ステップＳ６３５）。なお、ステップＳ６３５−Ｓ６４０の処理は、ステップＳ６２４の処理終了後に、ステップＳ６３２−Ｓ６３４の処理と並行して実行される。
【０１４５】
コンテンツ表示手段３９０は、受け取ったレコメンド情報を表示する（ステップＳ６４０）。
【０１４６】
以上説明したように、本実施形態のコンテンツ視聴装置１０５は、レコメンド情報を、複数のユーザにより同時に利用されるコンテンツ表示装置２０５と、特定のユーザのみにより利用される携帯端末３００とに分けて配信する。すなわち、コンテンツ視聴装置１０５は、複数のユーザが関心を持ちそうなレコメンド情報、すなわち共通レコメンド情報をコンテンツ表示装置２０５に配信する。一方、１人のユーザのみが関心を持ちそうなレコメンド情報、すなわち個別レコメンド情報を携帯端末３００に配信する。
【０１４７】
従って、本実施形態のコンテンツ視聴装置１０５には、共用端末へは個別レコメンド情報を配信することがなく、共通コンテンツのみを推奨することができるという効果がある。
【０１４８】
なお、共通レコメンド情報を、携帯端末３００へも配信することは差し支えない。
【０１４９】
また、本実施形態では、ユーザは２人であるものとしたが、ユーザ数は３人以上であってもよい。例えば、ユーザがユーザＡ、Ｂ、Ｃの３人である場合、ユーザＡ、Ｂ向けにのみ共通コンテンツが存在するといったケースも考えられる。この場合は、ユーザＡの携帯端末及びユーザＢの携帯端末に、その共通コンテンツを配信してもよい。すなわち、配信先は、必ずしも共用端末である必要はなく、共通に推奨されるべきユーザにのみ共通コンテンツが配信されさえすれば、配信先の端末は共用端末でなくてもよい。
（第３の実施形態）
本発明のレコメンド情報配信装置の例として、配信時刻情報を加えたレコメンド情報を提示するコンテンツ視聴装置の例を第３の実施形態として示す。第３の実施形態のレコメンド情報システムは、第２の実施形態よりも、効果的なタイミングで、または好適な端末によって、ユーザに対してレコメンド情報を提示することができる。
【０１５０】
第３の実施形態のレコメンド情報配信システムの構成は、第２の実施形態のレコメンド情報配信システム（図６参照）と同じである。コンテンツ視聴装置１０６の構成は、コンテンツ視聴装置１０５のもの（図５参照）と同じであるが、一部の構成要素については機能が異なる。また、携帯端末３０６の構成は、携帯端末３００のもの（図６参照）と同じであるが、一部の構成要素については機能が異なる。
【０１５１】
以下に、本実施形態のコンテンツ視聴装置１０６の構成について、第２の実施形態のコンテンツ視聴装置１０５との違いを説明する。
【０１５２】
コンテンツ視聴装置１０６のレコメンド情報配信手段１１６は、レコメンド情報配信手段１１５の機能に加えて、レコメンド情報の配信時刻を設定し、設定された配信時刻までレコメンド情報の配信を待機する機能を有する。
【０１５３】
以下に、本実施形態の携帯端末３０６の構成について、第２の実施形態の携帯端末３００との違いを説明する。
【０１５４】
携帯端末３０６のコンテンツ表示手段３９６は、携帯端末３００のコンテンツ表示手段３９０の機能に加えて、設定された配信時刻までレコメンド情報の表示を待機する機能を有する。
【０１５５】
その他の構成要素については、第２の実施形態と同じである。
【０１５６】
次に、本実施形態のコンテンツ視聴装置１０６の動作について説明する。
【０１５７】
図１２は、本実施形態のコンテンツ視聴装置１０６の、２人目以降のユーザの携帯端末３０６へレコメンド情報を配信する際の動作の具体例を示すシーケンス図である。
【０１５８】
携帯端末３０６のレコメンド情報要求手段３４０は、無線通信手段３８０を経由してコンテンツ視聴装置１０６に携帯端末３０６の端末固有情報を含むレコメンド情報取得要求を送信する（ステップＳ７１１）。
【０１５９】
ユーザ制御手段１３５は、携帯端末３０６からのレコメンド情報取得要求を、無線通信手段１８０を経由して受け取り、ログイン済み端末の有無を判定する（ステップＳ７１２）。図１２の例では、携帯端末３０６は２人目以降のユーザの端末であるので、ログイン済み端末の有無は「有」である。
【０１６０】
ユーザ制御手段１３５は、携帯端末３０６から受け取った端末固有情報、及びログイン済み端末の端末固有情報を含むレコメンド情報配信要求をレコメンド情報配信手段１１６に渡す（ステップＳ７１３）。
【０１６１】
レコメンド情報配信手段１１６は、レコメンド情報保持手段１２５へ要求し、ログイン済み端末の端末固有情報毎のレコメンドタグリストを取得する（ステップＳ７２１）。
【０１６２】
レコメンド情報配信手段１１６は、それぞれのレコメンドタグリストから共通するレコメンドタグを抽出した「共通レコメンドタグリスト」を作成する（ステップＳ７２２）。
【０１６３】
レコメンド情報配信手段１１６は、受け取った端末固有情報と端末固有情報が一致するレコメンド情報レコードの取得をレコメンド情報保持手段１２５へ要求し、当該レコードを取得する（ステップＳ７２３）。
【０１６４】
レコメンド情報配信手段１１６は、レコメンド情報レコード内のレコメンドタグと共通レコメンドタグリストとの比較結果と、配信先テーブルに従ってレコメンド情報の配信先を決定する（ステップＳ７２４）。
【０１６５】
ログイン済み端末の有無が「有」である場合、配信先テーブル（図７）を参照すると、共通タグを含むレコメンド情報はコンテンツ視聴装置１０６に配信され、共通タグを含まないレコメンド情報は携帯端末に配信される。
【０１６６】
また、レコメンド情報配信手段１１６は、レコメンドタグやユーザがあらかじめ指定したレコメンド情報配信許可時間などに基づいて、レコメンド情報を表示する時刻を示す配信時刻を設定する（ステップＳ７２５）。
【０１６７】
レコメンド情報の配信先がコンテンツ視聴装置１０６である場合には、レコメンド情報配信手段１１６は、配信時刻情報の示す時刻まで待機する（ステップＳ７３１）。
【０１６８】
次に、レコメンド情報の配信先がコンテンツ視聴装置１０６である場合には、レコメンド情報配信手段１１６は、レコメンド情報をコンテンツ表示装置２０５に渡す（ステップＳ７３２）。
【０１６９】
コンテンツ表示装置２０５は、受け取ったレコメンド情報を表示する（ステップＳ７３３）。
【０１７０】
また、レコメンド情報の配信先がコンテンツ視聴装置１０６である場合には、レコメンド情報配信手段１１６は、レコメンド情報要求手段１４６、無線通信手段１８０を経由して、携帯端末３０６にレコメンド情報配信の結果を送信する（ステップＳ７３４）。
【０１７１】
一方、レコメンド情報の配信先が携帯端末３０６である場合には、レコメンド情報配信手段１１６は、レコメンド情報と端末固有情報と配信時刻情報とをレコメンド情報要求手段３９６に渡す（ステップＳ７３５）。なお、ステップＳ７３５−Ｓ７４０の処理は、ステップＳ７２５の処理終了後に、ステップＳ７３１−Ｓ７３４の処理と並行して実行される。
【０１７２】
コンテンツ表示手段３９６は、配信時刻情報の示す時刻まで待機する（ステップＳ７３９）。
【０１７３】
コンテンツ表示手段３９６は、受け取ったレコメンド情報を表示する（ステップＳ７４０）。
【０１７４】
以上説明したように、本実施形態のコンテンツ視聴装置１０６では、特定のレコメンド情報は所定の時刻以降に表示される。従って、コンテンツ視聴装置１０６は、例えば、ユーザの時間帯毎の生活習慣に合わせて、ユーザに提示する推奨コンテンツを変えることができる。従って、コンテンツ視聴装置１０６では、第２の実施形態のコンテンツ視聴装置１０５が有する効果に加えて、第２の実施形態よりも、効果的なタイミングで、ユーザに対してレコメンド情報を提示することができるという効果がある。
（第４の実施形態）
本発明のレコメンド情報配信装置の例として、ユーザからの要求に応じて、携帯端末に表示されているレコメンド情報をコンテンツ表示装置で表示するコンテンツ視聴装置の例を第４の実施形態として示す。
【０１７５】
第４の実施形態のレコメンド情報配信システムの構成は、第２の実施形態のレコメンド情報配信システム（図６参照）と同じである。コンテンツ視聴装置１０７の構成は、コンテンツ視聴装置１０５のもの（図５参照）と同じであるが、一部の構成要素については機能が異なる。また、携帯端末３０７の構成は、携帯端末３００のもの（図６参照）と同じであるが、一部の構成要素については機能が異なる。
【０１７６】
以下に、本実施形態のコンテンツ視聴装置１０７の構成について、第２の実施形態のコンテンツ視聴装置１０５との違いを説明する。
【０１７７】
コンテンツ視聴装置１０７のレコメンド情報要求手段１４７は、コンテンツ視聴装置１０５のレコメンド情報要求手段１４０の機能に加えて、携帯端末３０７からレコメンド情報の配信要求を受信し、レコメンド情報配信手段１１５に対してレコメンド情報の配信を要求する機能を有する。
【０１７８】
以下に、本実施形態の携帯端末３０７の構成について、第２の実施形態の携帯端末３００との違いを説明する。
【０１７９】
携帯端末３０７のレコメンド情報要求手段３４７は、携帯端末３００のレコメンド情報要求手段３４０の機能に加えて、コンテンツ視聴装置１０７にレコメンド情報の表示を指示する機能を有する。レコメンド情報要求手段３４７は、コンテンツ表示手段３９７にレコメンド情報の非表示を指示する機能を更に有する。
【０１８０】
携帯端末３０７のコンテンツ表示手段３９７は、携帯端末３００のコンテンツ表示手段３９０の機能に加えて、表示していたレコメンド情報を非表示にする機能を有する。
【０１８１】
その他の構成要素については、第２の実施形態と同じである。
【０１８２】
次に、本実施形態のコンテンツ視聴装置１０７の動作について説明する。
【０１８３】
図１３は、本実施形態のコンテンツ視聴装置１０７の、携帯端末３０７へ配信されたレコメンド情報をコンテンツ表示装置２０５で表示する際の動作の具体例を示すシーケンス図である。
【０１８４】
レコメンド情報要求手段３４７は、無線通信部３８０を経由してコンテンツ視聴装置１０７にレコメンド情報を送信する（ステップＳ８１２）。
【０１８５】
次に、レコメンド情報要求手段３４７は、コンテンツ表示手段３９７にレコメンド情報の非表示要求を送付する（ステップＳ８１３）。
【０１８６】
コンテンツ表示手段３９７は、表示していたレコメンド情報を非表示にする（ステップＳ８１４）。
【０１８７】
レコメンド情報要求手段１４６は、レコメンド情報を受信し、レコメンド情報配信手段１１５にレコメンド情報を含むレコメンド情報配信要求渡す（ステップＳ８２２）。
【０１８８】
レコメンド情報配信手段１１５は、コンテンツ表示装置２０５にレコメンド情報を配信する（ステップＳ８２３）。
【０１８９】
コンテンツ表示装置２０５は、受け取ったレコメンド情報を表示する（ステップＳ８２４）。
【０１９０】
レコメンド情報配信手段１１５は、レコメンド情報要求手段１４７、無線通信手段１８０を経由して、携帯端末３０７にレコメンド情報配信の結果を送信する（ステップＳ８２５）。
【０１９１】
以上説明したように、本実施形態のコンテンツ視聴装置１０７は、ユーザからの要求に応じて、携帯端末３０７へ配信されたレコメンド情報をコンテンツ表示装置２０５で表示する。コンテンツ視聴装置１０７は、例えば、ユーザの視聴環境に合わせて、ユーザにレコメンド情報を提示する端末を変化させることができる。従って、コンテンツ視聴装置１０６では、第２の実施形態のコンテンツ視聴装置１０５が有する効果に加えて、第２の実施形態よりも、好適な端末により、ユーザに対してレコメンド情報を提示することができるという効果がある。
【０１９２】
尚、図３、１０、１１、１２、１３、１４のレコメンド情報配信装置の各処理は、ソフトウェアによって実行されてもよい。すなわち、各処理を行うためのコンピュータプログラムが、レコメンド情報配信装置が備えるＣＰＵ（図２：１３）によって読み込まれ、実行されてもよい。プログラムを用いて各処理を行っても、上述の実施形態の処理と同内容の処理を行うことができる。そして、上記のプログラムは、ＲＯＭ（Read Only Memory）、ＲＡＭ（Random Access Memory）、フラッシュメモリ等の半導体記憶装置、光ディスク、磁気ディスク、光磁気ディスク等、非一時的な媒体に格納されてもよい。
【０１９３】
あるいは、各処理は、個別の回路等の構成要素によって実行されてもよい。
【０１９４】
尚、本願発明は、上述の実施形態に限定されるものではなく、本願発明の要旨を逸脱しない範囲で種々変更、変形して実施することができる。
【符号の説明】
【０１９５】
９２０    レコメンド情報配信用信号
９２５    ユーザ識別用信号
【図１】
0005986129.tif 000002
【図２】
0005986129.tif 000003
【図３】
0005986129.tif 000004
【図４】
0005986129.tif 000005
【図５】
0005986129.tif 000006
【図６】
0005986129.tif 000007
【図７】
0005986129.tif 000008
【図８】
0005986129.tif 000009
【図９】
0005986129.tif 000010
【図１０】
0005986129.tif 000011
【図１１】
0005986129.tif 000012
【図１２】
0005986129.tif 000013
【図１３】
0005986129.tif 000014